(57)【要約】      （修正有）【課題】錘の取付け位置を変えることにより潜行タイプを変更でき、且つ、潜行タイプの変更前後でルアーの動き（揺動）が変化し難いルアーを提供する。【解決手段】ルアー１は、ルアー本体２と、ルアー本体２の前方に設けられている水流抵抗板３と、水流抵抗板３の上方に設けられているミチ糸取付部４と、水流抵抗板３の内部又は下方に設けられている錘取付部５と、を有する。【選択図】図１
0003190820.tif 000002
【実用新案登録請求の範囲】
【請求項１】
ルアー本体と、
前記ルアー本体の前方に設けられている水流抵抗板と、
前記水流抵抗板の上方に設けられているミチ糸取付部と、
前記水流抵抗板の内部又は下方に設けられている錘取付部と、を有しているルアー。
【請求項２】
前記錘取付部が、錘取付孔部を有し、
前記錘取付孔部は、前後方向に間隔をあけて複数設けられている請求項１に記載のルアー。
【請求項３】
前記錘取付部が、前記水流抵抗板の下面から突設されている請求項２に記載のルアー。
【請求項４】
前記錘取付部が、前後方向に連続して設けられている複数の凸部と前記複数の凸部の間を架け渡すように設けられている架橋部とによって囲まれた空間からなる錘取付孔部を有し、
前記複数の凸部及び架橋部の少なくとも一方が可撓性を有する請求項１に記載のルアー。
【請求項５】
前記複数の凸部が、前記水流抵抗板の下面から突設されており、
前記架橋部が、少なくともその一端が前記水流抵抗板に固定された可撓性を有する線材から形成されている請求項４に記載のルアー。
【請求項６】
前記錘取付部が、前後方向に延設されている柱部と、前記柱部の下方に沿って設けられている拡幅部と、を有し、
前記柱部の側面には、前後方向に連続する係止凹部が形成されており、
前記拡幅部の幅は、前記柱部の幅より大きく形成されている請求項１に記載のルアー。
【請求項７】
前記錘取付部が、前記水流抵抗板の内部に前後方向に延設されている溝部と、前記溝部の前後方向中途部に設けられている錘係止部と、を有し、
前記錘係止部は、前記溝部の内面に沿うように設けられた弾性体から形成されている請求項１に記載のルアー。
【請求項８】
前記ミチ糸取付部が、前記水流抵抗板の上面に設けられている請求項１〜７の何れか一項に記載のルアー。
【考案の詳細な説明】
【技術分野】
【０００１】
本考案は、水流抵抗板が具備された魚釣り用のルアーに関する。
【背景技術】
【０００２】
従来、魚釣りにおいてルアーが用いられている。ルアーは、釣りの対象となる魚（対象魚）の餌（小魚等）に模して作られる。そして、ルアーは、ルアーをリトリーブ（水中に投げ入れられたルアーをリールで巻き引くこと）することで、ルアーを潜行させたり、ルアーを左右に揺動させて、対象魚の餌である小魚等の動きに似せることができる。また、ルアーは、釣りの対象魚がいる水深に応じて、様々な機能の潜行タイプがある。
対象魚が水面近くの表層にいるときは、フローティングタイプのルアーが有効である。フローティングタイプのルアーは、水面に浮くタイプのルアーである。このタイプのルアーは浮力が大きく、リトリーブをしなければ水面に向かって浮上していくため、水面近くにいる対象魚を狙うのに適している。
対象魚が中層（表層より下で、水底の岩や、水底から生えている海草などがある深さよりも上の層）にいるときは、サスペンドタイプのルアーが有効である。サスペンドタイプのルアーは、一定の深さに滞留することができるタイプのルアーである。このタイプのルアーは水と略同じ比重を有し、リトリーブをしなければ一定の深度に留まるため、中層にいる対象魚を狙うのに適している。
対象魚が中層から水底にいるときは、シンキングタイプのルアーが有効である。シンキングタイプのルアーは、水底に沈んでいくタイプのルアーである。このタイプのルアーは比重が水よりも重く、リトリーブをしなければ沈んでいくため、中層から水底にいる対象魚を狙うのに適している。
つまり、ルアーは目的の水深によって使用すべき潜行タイプが異なっているため、釣り人は、対象魚がいる水深に合わせて、様々なタイプのルアーの中から適したルアーを選択し、使い分けなければならない。また、同じ種類の対象魚でも、場所や季節により、対象魚がいる水深が異なるため、釣り人は、各潜行タイプのルアーを用意しなければならない。このような問題を解決するため、例えば特許文献１に記載のルアーが知られている。
【０００３】
特許文献１のルアーは、ルアー本体の前方に設けられた水流抵抗板と、水流抵抗板の上方に設けられたミチ糸が連結される部分と、ルアー本体の下部（腹部）に前後方向に延びているボルト状の軸部材とを備え、ナット状の重錘体をボルト状の軸部材に螺合させて、重錘体をルアー本体に保持できる。
このルアーにおいて、比較的重量の軽い重錘体を使用すると、ルアーが水面に浮くこととなり、フローティングタイプのルアーとして使用できる。また、比較的に重量の重い重錘体を使用すると、ルアーが沈み込むため、サスペンドタイプ又はシンキングタイプのルアーとして使用できる。
しかしながら、特許文献１のルアーに取り付けられる重錘体を、異なる重さのものに替えると、ルアーの動き（揺動）が大きく変化しうる。すると、ルアーの動き（揺動）が、本来予定していた小魚等の動きとかけ離れてしまい、対象魚を誘う効果が低下する。
【先行技術文献】
【特許文献】
【０００４】
【特許文献１】特開２００３−２３９２３号公報
【考案の概要】
【考案が解決しようとする課題】
【０００５】
本考案の課題は、簡易に錘を変えることによって潜行タイプを変更でき、且つ、潜行タイプの変更前後でルアーの動き（揺動）が変化し難いルアーを提供することである。
【課題を解決するための手段】
【０００６】
本考案者が鋭意研究を行った結果、従来のルアーにおいて、ルアーのタイプを変えるために錘を変えるとルアーの動き（揺動）に変化が出ることは、従来のルアーの錘取付け位置とミチ糸が連結される位置の関係が一因であることを見出した。
従来のルアーは、ルアーの動き（揺動）の中心となるミチ糸が連結される部分がルアーの前方にある。また、ルアーの前方から離れたルアー本体の下部（腹部）に錘が取付けられる。
即ち、従来のルアーは、錘の取付けられる位置が、ルアーの揺動の中心となるミチ糸が連結される位置（ルアー本体の前方）から離れているため、錘を変えることでルアーの揺動時の慣性モーメントが変化し、慣性モーメントが変化することでルアーの動き（揺動）が変わる。
本考案者は、上記知見に基づき、下記の手段により、潜行タイプの変更前後でルアーの動き（揺動）に変化の少ないルアーが得られることを見出した。
【０００７】
本考案のルアーは、ルアー本体と、前記ルアー本体の前方に設けられている水流抵抗板と、前記水流抵抗板の上方に設けられているミチ糸取付部と、前記水流抵抗板の内部又は下方に設けられている錘取付部と、を有している。
【０００８】
本考案のルアーは、好ましくは、前記錘取付部が、錘取付孔部を有し、前記錘取付孔部は、前後方向に間隔をあけて複数設けられている。
【０００９】
本考案のルアーは、好ましくは、前記錘取付部が、前記水流抵抗板の下面から突設されている。
【００１０】
本考案のルアーは、好ましくは、前記錘取付部が、前後方向に連続して設けられている複数の凸部と前記複数の凸部の間を架け渡すように設けられている架橋部とによって囲まれた空間からなる錘取付孔部を有し、前記複数の凸部及び架橋部の少なくとも一方が可撓性を有する。
【００１１】
本考案のルアーは、好ましくは、前記複数の凸部が、前記水流抵抗板の下面から突設されており、前記架橋部が、少なくともその一端が前記水流抵抗板に固定された可撓性を有する線材から形成されている。
【００１２】
本考案のルアーは、好ましくは、前記錘取付部が、前後方向に延設されている柱部と、前記柱部の下方に沿って設けられている拡幅部と、を有し、前記柱部の側面には、前後方向に連続する係止凹部が形成されており、前記拡幅部の幅は、前記柱部の幅より大きく形成されている。
【００１３】
本考案のルアーは、好ましくは、前記錘取付部が、前記水流抵抗板の内部に前後方向に延設されている溝部と、前記溝部の前後方向中途部に設けられている錘係止部と、を有し、前記錘係止部は、前記溝部の内面に沿うように設けられた弾性体から形成されている。
【００１４】
本考案のルアーは、好ましくは、前記ミチ糸取付部が、前記水流抵抗板の上面に設けられている。
【考案の効果】
【００１５】
本考案によれば、取付ける錘を変えることによって簡易に潜行タイプを変更でき、且つ、潜行タイプの変更前後でルアーの動き（揺動）に変化が少ないルアーを提供できる。
【図面の簡単な説明】
【００１６】
【図１】第１実施形態に係るルアーを示す斜視図。水流抵抗板の内部の連結部をかくれ線（破線）で示している（以下、図６、図７、図８、図１２も同じ）。
【図２】第１変形例に係るルアーを示す側面図。チューブが移動した状態を仮想線（二点鎖線）で示している（以下、図３も同じ）。
【図３】図２のＩＩＩ−ＩＩＩ線で切断した拡大断面図。
【図４】前方の錘取付孔に錘が取付けられた同ルアーが水中に滞留した際の側面図。
【図５】後方の錘取付孔に錘が取付けられた同ルアーが水中に滞留した際の側面図。
【図６】第２変形例に係るルアーを示す一部省略拡大側面図。ルアー本体の一部の図示を省略している（以下、図７、図８、図９も同じ）。
【図７】第３変形例に係るルアーを示す一部省略拡大側面図。
【図８】第４変形例に係るルアーを示す一部省略拡大側面図。
【図９】第５変形例に係るルアーを示す一部省略拡大側面図。錘が移動した状態を仮想線（二点鎖線）で示している。
【図１０】図９のＸ−Ｘ線で切断した拡大断面図。
【図１１】図１０のＸＩ−ＸＩ線で切断した拡大断面図。
【図１２】第６変形例に係るルアーを示す側面図。
【図１３】図１２のＸＩＩＩ−ＸＩＩＩ線で切断した拡大断面図。
【図１４】図１３のＸＩＶ−ＸＩＶ線で切断した拡大断面図。
【図１５】同ルアーの錘連結部の要部拡大底面図。
【図１６】（ａ）は同ルアーの錘を示す平面図であり、（ｂ）は同側面図、（ｃ）は同正面図。
【図１７】第７変形例に係るルアーを示す側面図。
【考案を実施するための形態】
【００１７】
以下、本考案の好ましい実施形態について、図面を参照しつつ具体的に説明する。
なお、本明細書において、方向性を示す用語として、「上方」は錘が取付けられていない状態の本考案のルアーが水中で滞留している状態において、前記ルアーの鉛直上側の方向を指し、「下方」は前記「上方」の反対方向を指し、「前方」は前記ルアーをリトリーブした際にルアーが進む方向を指し、「後方」は前記「前方」の反対方向を指し、「左右方向」は上下方向及び前後方向の何れにも垂直な方向を指す。
【００１８】
［第１実施形態］
本実施形態のルアー１は、ルアー本体２と、ルアー本体２の前方に設けられている水流抵抗板３と、水流抵抗板３の上方に設けられているミチ糸取付部４と、水流抵抗板３の下方に設けられている錘取付部５と、を有する。錘取付部５には、錘６が取付けられる。
本実施形態のルアー１は、錘取付部５に取付けられる錘６の重量を変更することにより、様々な潜行タイプ（フローティングタイプ、サスペンドタイプ、シンキングタイプ）のルアー１に変更できる。また、ルアー１のタイプの変更前後で、ルアー１の動き（揺動）が変化し難い。
【００１９】
＜ルアー本体＞
ルアー本体２は、本考案のルアー１の中核となる部材である。ルアー本体２の形状は特に限定されず、好ましくは、本物の餌（小魚等）の形状を模した形状に形成される。
本実施形態のルアー本体２は、図１に示すように、小魚を模した形状に形成されており、小魚の器官（目やエラ等）を再現した彩色が必要に応じて施される。
ルアー本体２は、中空状に形成されていてもよく、中実状に形成されていてもよい。ルアー本体２を中空状に形成する場合、金属球（ラトル）をルアー本体２の内部に転動可能に収容することもできる。この場合、水中でルアー１が揺動すると、ルアー本体２の内部に収容したラトルが転がる。そして、ラトルがルアー本体２の内壁と衝突することによりラトル音が発生し、このラトル音によって対象魚の興味をルアー１に向けさせることが可能である。
ルアー本体２は、釣り針２２を連結する釣り針連結部２１を有する。例えば、図１に示すように、ルアー本体２の下方（腹側）と後方（尾側）との２箇所に釣り針連結部２１が設けられている。
なお、ルアー本体２が有する釣り針連結部２１の数は、特に限定されず、ルアー本体２に取付けられる釣り針２２の数に合わせて適宜変更することが可能である。
釣り針連結部２１の形状は特に限定されないが、好ましくは図１に示すように環状に形成される。
ルアー本体２の形成材料は、特に限定されず、対象魚が食いついても壊れない程度の機械的強度を有する材料が用いられる。このような材料としては、金属、木材などが挙げられ、好ましくは樹脂が用いられる。特に、成形が容易であることから、ＡＢＳ樹脂が好ましく用いられる。
【００２０】
＜釣り針＞
釣り針２２は、対象魚の口腔内に引っ掛かるように構成された部材である。釣り針２２は、水中において揺動可能なようにルアー本体２に取り付けられていてもよいし、揺動しないようにルアー本体２に固定されていてもよい。好ましくは、釣り針２２は、揺動可能なようにルアー本体２に取り付けられる。
本実施形態の釣り針２２は、図１に示すように、リング部材２２１を介して釣り針連結部２１に連結されている。つまり、釣り針２２は、リング部材２２１と釣り針連結部２１を介して間接的にルアー本体２に取付けられている。そのため、釣り針２２は水中において揺動可能である。なお、釣り針２２をルアー本体２に取付ける方法は、本実施形態の方法に限られず、釣り針２２と釣り針連結部２１とが、リング部材２２１を介さずに直接連結されていてもよい。
【００２１】
＜水流抵抗板＞
水流抵抗板３は、ルアー本体２の前方に設けられている。水流抵抗板３が水流を受けることにより、ルアー１が潜行し且つ揺動する。水流抵抗板３は、その大きさ、形状等によりルアー１に様々な動きをもたらす。
本実施形態の水流抵抗板３の上面は、図１に示すように、略平坦状に形成されている。もっとも、水流抵抗板３の上面は、略平坦状に限られず、略山型状などの非平坦状に形成されていてもよい。
また、本実施形態の水流抵抗板３は、上面視で略舌片形状に形成されている。もっとも、水流抵抗板３の上面視の形状は、これに限定されず、略扇状、略矩形状などでもよい。
水流抵抗板３の形成材料は、特に限定されず、例えば、樹脂、金属、木質などが挙げられ、軽くて慣性モーメントへの影響が少ないことから、樹脂を用いることが好ましい。
水流抵抗板３とルアー本体２は一体的に形成されてもよいし、水流抵抗板３とルアー本体２を別体で形成して接着材等の固定手段を用いて固定されていてもよい。前記固定手段として、ねじ止めや凹凸嵌合等の着脱可能な固定手段を用いれば、ルアー本体２から水流抵抗板３を着脱自在とすることができる。ルアー本体２から着脱自在な水流抵抗板３とすることで、大きさや形状の異なる水流抵抗板３をルアー本体２に固定することができ、ルアー１の揺動パターンや潜行深度を変えることができる。
なお潜行深度とは、ルアーがリトリーブされた際、ルアーが前方に進む距離に対して、ルアーがどれだけ下方に移動をしたかの度合いをいう。
【００２２】
＜ミチ糸取付部＞
ミチ糸取付部４は、水流抵抗板３の上方に設けられ、ミチ糸（図示せず）が係脱可能に取り付けられる部分である。
釣り竿（図示せず）とルアー１はミチ糸取付部４に取り付けらたミチ糸を介して連結されている。従って、釣り人は、ミチ糸を介してルアー１に細やかな動きを伝えることができる。また、ルアー１がリトリーブされた際には、ルアー１の動き（揺動）の中心となる。
本実施形態のミチ糸取付部４は、図１に示すように、水流抵抗板３の上面の前後方向中途部から突設されている。水流抵抗板３の上面にミチ糸取付部４が設けられる本実施形態においては、前記ミチ糸取付部４は、水流抵抗板３の前方部に設けてもよいし、水流抵抗板３の後方部に設けてもよい。
ミチ糸取付部４を構成する部材は、特に限定されず、線材、板状材、柱状材などが挙げられる。その部材を形成する材料は、特に限定されず、金属、樹脂などが挙げられ、好ましくは、金属が用いられ、より好ましくは、錆びにくいステンレス又はメッキされた鋼などが用いられる。
図示例では、ミチ糸取付部４は、閉じた環状に形成された金属線材から形成されている。この線材の環状部分を水流抵抗板３の上面から突出させつつ、その線材の両端部を水流抵抗板３内に埋設することにより、ミチ糸取付部４が水流抵抗板３に設けられている。
【００２３】
＜錘取付部＞
錘取付部５は、水流抵抗板３の内部又は下方に設けられている。錘取付部５は、錘６が取付けられる部分である。
錘取付部５を構成する部材は、特に限定されず、上記ミチ糸取付部４に例示のものが挙げられるが、好ましくは、金属線材である。
図示例では、錘取付部５は、閉じた環状に形成された金属線材から形成されている。この線材の環状部分を水流抵抗板３の下面から下方に突出させつつ、その線材の両端部を水流抵抗板３内に埋設することにより、錘取付部５が水流抵抗板３に設けられている。
好ましくは、前記環状の線材は、図１のように、一端が自由端とされた渦巻き環状に形成されている。この渦巻き環状の線材は、キーリング（鍵を纏めるもの）の如き構成であり、その一端を入り口として、そこから渦巻きに沿って環内に通じる環構造である。錘取付部５が、前記渦巻き環状の線材から形成されている場合、錘６を錘取付部５に容易に着脱できる。
なお、錘取付部５は、前記環状の線材から形成されている場合に限られず、例えば、板状の部材に穿設した孔部から形成されていてもよい。
【００２４】
錘取付部５は、ミチ糸取付部４の近傍に配置されていることが好ましい。ミチ糸取付部４と錘取付部５（錘６の取付けられる位置）とが近傍であれば、錘６を変更した際に、ルアー１の動きの慣性モーメントの変化を抑えることができる。その結果、ルアー１に取付けられる錘６を交換してルアー１の潜行タイプを変更しても、ルアー１の動き（揺動）の変化を少なくすることができる。
【００２５】
好ましくは、ミチ糸取付部４の略真下に錘取付部５が設けられる。具体的には、好ましくはミチ糸取付部４と錘取付部５の間隔が３ｃｍ以下であり、より好ましくは１ｃｍ以下である。ここで、ミチ糸取付部４と錘取付部５の間隔とは、ミチ糸取付部４と錘取付部５の間の直線距離である。
図示例では、ミチ糸取付部４と錘取付部５とは、水流抵抗板３の内部に埋め込まれた連結部４２を介して連結されている。詳しくは、ミチ糸取付部４と錘取付部５は、１つの線材から形成され、その線材を適宜折り曲げることによって形成されている。このようにミチ糸取付部４と錘取付部５が一体化されていることにより、錘取付部５がミチ糸取付部４の近傍に配置され、さらに、ミチ糸に錘６の重量が直接加わるので、釣り人がルアー１をより繊細に操ることができる。もっとも、錘取付部５は、ミチ糸取付部４に対して連結されていなくてもよい（ミチ糸取付部４と錘取付部５は、互いに独立していてもよい）。
【００２６】
＜錘＞
錘６は、重量を有し、錘取付部５に取付けられる部材である。
本実施形態の錘６は、図１に示すように、錘本体６１と錘本体６１の上方に設けられた吊り手部６２とを有する。
錘本体６１の形状は、特に限定されず、釣鐘型、六角型、円盤型などが挙げられる。好ましい錘本体６１の形状は、図１に示すように、水流の抵抗を受けにくい、ナス型である。
また、吊り手部６２の構造は、特に限定されず、閉じられた環構造、着脱が容易なスナップ構造などを用いることができる。好ましい吊り手部６２の構造は、図１に示すような、両端が錘本体６１に埋め込まれ、錘本体６１の上部から突出した線材で閉塞した環をなす構造である。図示はしていないが、リング部材２２１を用いることで、錘取付部５に錘６を取付ける。
【００２７】
本実施形態のルアー１は、下記のようにして使用できる。
本実施形態のルアー１自体の比重（錘６を取り付けていないルアー１の比重）は、水よりも軽くなるように設定されている。また、ルアー１は、錘取付部５に錘６を着脱できるので、錘６の種類を変更できる。
錘取付部５に錘６が取付けられていない場合、又は、錘取付部５に錘６とルアー１とを合わせた比重が水の比重より軽くなるような錘６が取付けられた場合、そのルアー１は、フローティングタイプとなり、水面近くにいる対象魚を狙うのに適する。
次に、錘取付部５に錘６とルアー１とを合わせた比重が水の比重と略同じになるような錘６が取付けられた場合、そのルアー１は、サスペンドタイプとなり、中層にいる対象魚を狙うのに適する。
さらに、錘取付部５に錘６とルアー１とを合わせた比重が水の比重よりも重くなるような錘６が取付けられた場合、そのルアー１は、シンキングタイプとなり、中層から深場にいる対象魚を狙うのに適する。
このように本実施形態のルアー１は、錘取付部５に取付けられる錘６を異なる重さの錘６に変更することで、様々な潜行タイプ（フローティングタイプ、サスペンドタイプ、シンキングタイプ）のルアー１として使用できる。
【００２８】
［第１変形例］
下記変形例の説明に於いて、主として前記実施形態と異なる構成及び効果について説明し、前記実施形態と同様の構成などについては、その説明を省略し、用語及び符号を援用する。
本変形例のルアー１は、図２及び図３に示すように、ルアー本体２と、ルアー本体２の前方に設けられている水流抵抗板３と、水流抵抗板３の上面に設けられているミチ糸取付部４と、水流抵抗板３の下面から突設されている錘取付部５と、を有する。錘取付部５は、前後方向に間隔をあけて設けられている複数の錘取付孔部５１ａ，５１ｂ，５１ｃを有する。錘取付孔部５１ｂには、錘６が取付けられる。
本変形例のルアー１は、複数の錘取付孔部５１ａ，５１ｂ，５１ｃの中から錘６を取り付ける孔部を適宜変更することにより、ルアー１の潜行深度を変更できる。
【００２９】
具体的には、本変形例の錘取付部５は、水流抵抗板３と一体的に設けられている。錘取付部５は、前後方向を長手とする長尺状に形成された壁部に、前後方向に間隔をあけて穿設された３つの錘取付孔部５１ａ，５１ｂ，５１ｃからなる。なお、錘取付孔部５１ａ，５１ｂ，５１ｃは、錘取付部５に左右方向へ穿設された貫通孔である。
なお、錘取付孔部５１ａ，５１ｂ，５１ｃは、錘を取付けることができれば特に限定されず、前記のように壁部に穿設された貫通孔の他、環状の線材を用いて形成することもできる。
【００３０】
本変形例の錘６は、図３に示すように、錘本体６１と吊り手部６２とチューブ６２４とを有する。吊り手部６２は、錘取付孔部５１ｂの内径よりもその断面の直径が小さい１本の線材から形成されている。吊り手部６２は、錘本体６１の上部から上方に延びている吊下げ部６２１と、吊下げ部６２１の上方に環状に形成されている環状部６２２と、環状部６２２の下方に垂下している垂下部６２３と、を有する。垂下部６２３の下端は自由端となっている。吊下げ部６２１と垂下部６２３とは、平行且つ接触するように設けられている。チューブ６２４は、吊下げ部６２１に挿通されている。
錘６を錘取付部５に取付ける際には、チューブ６２４を錘本体６１側に移動させ（図３に仮想線で示す）、環状部６２２の弾性力に抗し、接触している吊下げ部６２１と垂下部６２３とを引き離すように拡げる。そして、吊下げ部６２１から離された垂下部６２３の自由端を錘取付孔部５１ｂに通し、錘取付孔部５１ｂに環状部６２２を挿通した後、離された吊下げ部６２１と垂下部６２３とを再び閉じ、チューブ６２４を元の位置に移動することにより、錘６を錘取付孔部５１ｂに取り付けることができる。
【００３１】
本変形例のルアー１は、下記のようにして使用できる。
例えば、図４に示すように、錘６をルアー本体２から遠い錘取付孔部５１ａに取付けると、図２に示す錘取付孔部５１ｂに錘６を取り付けた場合に比して、ルアー１の重心が前方に寄るので、ルアー１は、水面に対してより大きな角度を為して潜行する。大きな角度の状態で潜行するルアー１をリトリーブをすると、潜行深度が深くなる。このようにすると、同じようにリトリーブしても、比較的に早く水底に向かって行くため、対象魚の活性が高く、様々な層（表層、中層、水底）に対象魚がいる場合に有効である。
また、図５に示すように、錘６をルアー本体２から近い錘取付孔部５１ｃに取付けるとルアー１の重心が後方に移るので、錘６をルアー本体２から遠い錘取付孔部５１ａに取付けた場合（図４）に比べ、ルアー１は、水面に対してより小さな角度を為して潜行する。小さな角度の状態でリトリーブをすると、潜行深度が浅くなる。このようにすると、同じようにリトリーブしても、比較的にゆっくり水底に向かって行くため、対象魚の活性が低く、どこか一定の層（表層、中層、水底）に対象魚がいる場合に有効である。
このように、本変形例のルアー１は、同じ重さの錘６を使用する場合においても、錘取付孔部５１ａ，５１ｂ，５１ｃへの錘６の取付け位置を前後方向に変更することによりリトリーブ時のルアー１の潜行深度を変更できる。よって、同じルアー１でも錘６を前後方向に変更することで、様々な対象魚を狙うことができる。
【００３２】
［第２変形例］
本変形例のルアー１は、図６に示すように、ルアー本体２と、ルアー本体２の前方に設けられている水流抵抗板３と、水流抵抗板３の上方に設けられているミチ糸取付部４と、水流抵抗板３の下面から突設されている錘取付部５と、を有する。
本変形例のルアー１は、上記第１変形例と同様に、錘取付部５が複数の錘取付孔部５１ａ，５１ｂ，５１ｃを有する。本変形例のルアー１は、錘取付孔部５１ａ，５１ｂ，５１ｃに取り付けられる錘６がアピール性を備えている。
具体的には、錘取付部５は、細長部と線材とから形成されている。細長部には、複数の切り欠部が前後方向に連続して形成されている。切り欠部の形状は、側面視で下方が開いた半円状に形成されているが、特にその形状は限定されず、矩形状などでもよい。そして、複数の切り欠部を横断するように、前記細長部に線材が貫通されている。この線材と切り欠部とに囲まれた閉鎖空間が、錘取付孔部５１ａ，５１ｂ，５１ｃである。
なお、本変形例においては、前記錘取付部５を形成している線材がミチ糸取付部４も形成している。具体的には、１本の線材の前方が上向き斜め後方に向けて折り返されており、その折り返された先端部は、水流抵抗板３の上面から突出され且つ環状に形成されている。この突出した線材の環状の先端部がミチ糸取付部４とされている。
【００３３】
また、本変形例の錘６の錘本体６１は、光沢を有する平板状である。錘本体６１の表面は、光沢を有し、好ましくは、その表面には、メッキ処理によって金属光沢が付与され又はホログラムシートを貼り付けることによって光沢が付与されている。その錘本体６１を錘取付部５に繋ぐための吊り手部６２は、中間部分で複数（例えば２つ）に分離されており、各分離部分がリングを介して連結されている。かかる錘６が取り付けられたルアー１は、錘自体も対象魚を誘うように、錘本体６１が水流によって揺動又は回転する。
このように、本変形例のルアー１は、錘６にも動きや外観でのアピール性を持たせることにより、より効果的に対象魚への誘いを行うことができる。
なお、図７に示すように、スカートを有する錘６をルアー１の錘取付部５に取り付けてもよい。かかるスカートを有する錘６も同様に、対象魚に対するアピール性を有する。また、特に図示しないが、釣り針を有する錘を錘取付部５に取り付けてもよい。
【００３４】
［第３変形例］
本変形例のルアー１は、図７に示すように、ルアー本体２と、ルアー本体２の前方に設けられている水流抵抗板３と、水流抵抗板３の上面に設けられている複数のミチ糸取付部４ａ，４ｂ，４ｃと、水流抵抗板３の下面から突設されている錘取付部５と、を有する。錘取付部５には、錘６が取付けられる。
複数のミチ糸取付部４ａ，４ｂ，４ｃは、水流抵抗板３の上面から突出したミチ糸取付板４１に形成された貫通孔からなる。
また、錘取付部５は、水流抵抗板３の下面から突出した板に形成された貫通孔である、複数の錘取付孔部５１ａ，５１ｂ，５１ｃからなる。
なお、図示例では、水流抵抗板３の内部に埋め込まれた１枚の板状部材に、ミチ糸取付部４ａ，４ｂ，４ｃと錘取付孔部５１ａ，５１ｂ，５１ｃを形成しているが、それぞれ独立した板部材を用いてもよい。
【００３５】
本変形例に係るルアー１は、前後方向に間隔をあけて設けられた複数のミチ糸取付部４ａ，４ｂ，４ｃを有するので、ミチ糸の連結位置を前後方向に変えることによって、ルアー１のリトリーブの速さに対する特性を変えることができる。
例えば、前方のミチ糸取付部４ａにミチ糸を連結すると、ルアー本体２の動きが細かくなり、高速でリトリーブしてもルアー本体２の動きが破綻することはない。また、後方のミチ糸取付部４ｃにミチ糸を連結すると、ルアー本体２の動きが大きくなり、低速でリトリーブする際、より大きな動作を得ることができる。
また、ミチ糸を連結する位置を、錘６が取付けられる錘取付孔部５１ａ，５１ｂ，５１ｃの位置に対応させることもできる。例えば、錘６が錘取付孔部５１ａに取付けられている場合に、ミチ糸をミチ糸取付部４ａに取付けることにより、ルアー１に取付けられているミチ糸と錘６が、ルアーの前後方向において近くになる。このようにミチ糸取付部４と錘６の位置とを互いに近くにできることにより、錘６を変更しても、ルアー１の動きの慣性モーメントの変化を抑えることができる。その結果、ルアー１に取付けられる錘６を交換してルアー１の潜行タイプを変更しても、ルアー１の動きの変化を少なくすることができる。
【００３６】
［第４変形例］
本変形例のルアー１は、図８に示すように、ルアー本体２と、ルアー本体２の前方に設けられている水流抵抗板３と、水流抵抗板３の上面に設けられているミチ糸取付部４と、水流抵抗板３の下面から突設されている錘取付部５と、を有する。また、錘取付部５は、前後方向に連続して設けられている複数の凸部５２と前記複数の凸部５２の間を架け渡すように複数の凸部５２に接触しつつ延設されている架橋部５３とによって囲まれた空間からなる錘取付孔部５１ａ，５１ｂ，５１ｃ，５１ｄ，５１ｅを有する。
前記複数の凸部５２は、水流抵抗板３の下方から突出されている。また、架橋部５３は、水流抵抗板３の下方に前後方向に延びる可撓性を有する線材から形成されている。その線材の前方が上向き斜め後方に向けて折り返されており、その折り返された先端部は、水流抵抗板３の上面から突出され且つ環状に形成されている。この突出した線材の環状の先端部がミチ糸取付部４とされている。前記線材の後方は、ルアー本体２に固定されている。この線材の直線部は、複数の凸部５２の先端に接している。このように線材と凸部で囲まれた空間から錘取付孔部５１ａ，５１ｂ，５１ｃ，５１ｄ，５１ｅが形成されている。
線材は下方に力をかけると、弾性変形をして、線材と凸部の先端との間に隙間ができる。このため、その隙間を通じて、（錘６を外すこと無く）錘６を隣り合う錘取付孔部５１ａ，５１ｂ，５１ｃ，５１ｄ，５１ｅに移動させることができる。従って、本変形例のルアー１は、容易に素早く、１つの錘取付孔部５１ａに取付けられている錘６を、他の錘取付孔部５１ｂ，５１ｃ，５１ｄ，５１ｅへと移動させることができる。すなわち、このルアーは、錘６を取り外すことなく、錘６を前後方向に移動させることができる。
【００３７】
［第５変形例］
本変形例のルアー１は、図９に示すように、ルアー本体２と、ルアー本体２の前方に設けられている水流抵抗板３と、水流抵抗板３の上面に設けられているミチ糸取付部４と、水流抵抗板３の下方に設けられている錘取付部５と、を有する。錘取付部５は、前後方向に延設されている柱部５５と、柱部５５の下方に沿って設けられている拡幅部５４と、を有する。柱部５５の側面には、前後方向に連続する係止凹部５５１が形成されており、拡幅部５４の幅は、柱部５５の幅より広く形成されている。
具体的には、柱部５５は、図９及び図１０に示すように、水流抵抗板３の下方において前後方向に延設されている。柱部５５を左右方向に切断した断面は、図１０に示すように、略矩形状である。この柱部５５の両側面には、図１１に示すように、係止凹部５５１が前後方向に連続して形成されている。拡幅部５４は、柱部５５の下方から延出され、柱部５５に沿って前後方向に延設されている。拡幅部５４の前後方向の長さは柱部５５の前後方向の長さと略等しい。拡幅部５４を左右方向に切断した断面は、図１０に示すように、略円形状である。その円形状の拡幅部５４の横幅は、柱部５５の横幅よりも大きく設定されている。
【００３８】
錘取付部５には、錘６が取り付けられている。この錘６は、図１０に示すように、その左右方向に切断した断面が上側向き開口の略Ｃ字状である。Ｃ字状に開いた端は、図１１に示すように、前後方向に延びて向かい合った端面６３１，６３１である。その端面６３１，６３１の前後方向における中間付近には凸状の錘凸部６３２，６３２が向かい合って形成されている。
略Ｃ字状の錘６は、その端面６３１，６３１を柱部５５の側面に対面させた状態で、拡幅部５４に遊嵌されている。かかる錘６は、拡幅部５４の延設方向である前後方向に摺動可能に取付けられている。
また、この錘６の錘凸部６３２，６３２が錘取付部５の係止凹部５５１，５５１に凹凸嵌合することにより、錘６は位置決めされている。
そして、錘６を前後方向に押すことにより、１箇所の係止凹部５５１，５５１に凹凸嵌合していた錘凸部６３２，６３２が弾性力に抗して変形するので、錘６を前後方向に移動させることができ、移動後、他の係止凹部５５１，５５１に錘凸部６３２，６３２が凹凸嵌合することにより、錘６は、再び位置決めされる。
本変形のルアー１は、錘６を錘取付部５から取り外すこと無く、比較的細やかに錘６を前後方向に移動させることができ、素早くルアー１の潜行深度を変更することができる。
なお、本考案において、凹凸嵌合による「凹凸」は相対的な概念であるので、説明上の凹状の部分は凸状の部分と、凸状の部分は凹状の部分とも言えることに留意されたい。
【００３９】
［第６変形例］
本変形例のルアー１は、図１２に示すように、ルアー本体２と、ルアー本体２の前方に設けられている水流抵抗板３と、水流抵抗板３の上面に設けられているミチ糸取付部４と、水流抵抗板３の内部に設けられている錘取付部５と、を有する。錘取付部５は、前記水流抵抗板の内部に前後方向に延設されている溝部５４１と、前記溝部５４１の前後方向中途部に設けられている錘係止部５５２と、を有する。錘係止部５５２は、前記溝部の内面に沿うように設けられている弾性体からなる。溝部５４１には、錘６が嵌入される。
具体的には、溝部５４１は、図１３に示すように、その側面が下方に向かうに従い幅狭となっており、溝部５４１の下方には、溝部５４１に繋がる帯状の開口部が形成されている。この溝部５４１は、図１４にも示すように、水流抵抗板３の内部において、その前後方向に延設されている（水流抵抗板３の前後方向に略貫通された空間である）。
錘係止部５５２は、溝部５４１の内面に沿うように設けられた弾性体から形成されている。この錘係止部５５２は、弾性を有する一対の線材から形成されており、その線材の下方は自由端とされている。この線材は溝部５４１の内面に沿うように湾曲されている。錘係止部５５２は、溝部５４１の前後方向における中途部に設けられた拡開部５４２に、弾性変形可能に配置されている。なお、拡開部５４２は、溝部５４１の内面に部分的に設けられた、溝部５４１の内面よりも幅広とした部分である。
錘取付部５には、錘６が取り付けられている。この錘６は、図１６に示すように、円柱をその直径で切断したような、略半円柱状である。錘６の前後方向には、複数の錘係止凹部６４１が形成されている。
【００４０】
この錘６は、ルアー１の前方から溝部５４１の内部に嵌入される。その錘６をルアー本体２側に移動させていくと、一対の線材からなる錘係止部５５２に錘６が挿通され、錘係止部５５２の弾性力によって、錘６が挟持される。この際、線材からなる錘係止部５５２に錘６の錘係止凹部６４１が凹凸嵌合することよって、錘６は前後方向に移動しないように位置決めされる。
そして、錘６を前後方向に押すことにより、弾性力に抗して錘係止部５５２の間が押し拡げられ、１箇所の錘係止凹部６４１における凹凸嵌合が解除され、錘６を前後方向に移動させることができ、移動後、他の錘係止凹部６４１にて凹凸嵌合することにより、錘６は、再び位置決めされる。
本変形のルアー１も、錘６を錘取付部５から取り外すこと無く、比較的細やかに錘６を前後方向に移動させることができ、素早くルアー１の潜行深度を変更することができる。
さらに、錘６が水流抵抗板３の内部に取付けられるため、錘６に水流が当ってルアー１の動きに変化が生じるおそれもない。
【００４１】
［第７変形例］
本変形例のルアー１は、図１７に示すように、ルアー本体２と、ルアー本体２の前方に設けられている水流抵抗板３と、水流抵抗板３の上方に設けられているミチ糸取付部４と、水流抵抗板３の下面から突設されている錘取付部５と、を有する。
錘取付部５は、前後方向に間隔をあけて設けられている複数の錘取付孔部５１ａ，５１ｂ，５１ｃを有する。
本変形例のルアーは、ミチ糸取付部４が、ルアー本体２の前方部に設けられている点で上述の実施形態及び各変形例等とは異なっている。すなわち、本考案のルアー１のミチ糸取付部４は、水流抵抗板３の上方に設けられていればよく、上記実施形態などのように水流抵抗板３に直接設けられている形態のほか、図１７に示すように、ルアー本体２に設けられていてもよい。
なお、図示例では、上述の実施形態及び各変形例等とは異なり、細長の小魚の姿を模したミノー形態のルアー１を例示している。
本変形例のルアー１も、ミチ糸取付部４と錘取付部５が、水流抵抗板３の上下に配置されているため、錘取付部５に取付けられる錘６を変更しても、ルアー１の慣性モーメントの変化は小さい。よって、錘６を変更してもルアー１の動き（揺動）の変化が小さくなる。
【符号の説明】
【００４２】
１  ルアー
２  ルアー本体
３  水流抵抗板
４，４ａ，ｂ，ｃ  ミチ糸取付部
５  錘取付部
５１，５１ａ，ｂ，ｃ  錘取付孔部
５２  複数の凸部
５３  架橋部
５４  拡幅部
５４１  溝部
５５  柱部
５５２  錘係止部
６  錘
【図１】
0003190820.tif 000003
【図２】
0003190820.tif 000004
【図３】
0003190820.tif 000005
【図４】
0003190820.tif 000006
【図５】
0003190820.tif 000007
【図６】
0003190820.tif 000008
【図７】
0003190820.tif 000009
【図８】
0003190820.tif 000010
【図９】
0003190820.tif 000011
【図１０】
0003190820.tif 000012
【図１１】
0003190820.tif 000013
【図１２】
0003190820.tif 000014
【図１３】
0003190820.tif 000015
【図１４】
0003190820.tif 000016
【図１５】
0003190820.tif 000017
【図１６】
0003190820.tif 000018
【図１７】
0003190820.tif 000019